(57)【特許請求の範囲】
【請求項１】
電子回路を内部に収容し、該電子回路が発生した熱を内部から外部へと排出する風が通り抜ける第１排気口および第２排気口が表面に並んで設けられた筐体と、
前記第１排気口を複数の開口に仕切った複数の第１リブであって、各第１リブが、該第１排気口と前記第２排気口とが並んだ方向に延び、各第１リブの該第２排気口側の端部が、各第１リブの該第２排気口とは逆側の端部よりも、前記風の下流側に位置している複数の第１リブと、
前記第２排気口を複数の開口に仕切った複数の第２リブであって、各第２リブが、前記第１排気口と該第２排気口とが並んだ方向に延びた、前記複数の第１リブとは交互に配設された複数の第２リブとを備え、
前記筐体が、底面と、該底面から立ち上がった側面とを有し、該底面は、第１の底面部分と、該第１の底面部分よりも該筐体の外部側に位置した第２の底面部分と、該第２の底面部分から前記側面へと向かった、該第２の底面部分および該側面の双方に対して傾斜した傾斜部分とを有し、該傾斜部分に前記第１排気口を備え、該側面に前記第２排気口を備えたことを特徴とする電子機器。
【請求項２】
前記筐体は、この電子機器を操作する操作者の側とは逆側に前記第１排気口および前記第２排気口を備えることを特徴とする請求項１記載の電子機器。
【請求項３】
前記筐体の前記底面側とは逆の上面側に組み込まれたキーボードと、
前記筐体の前記上面に対して開閉自在に該筐体に連結された表示部とを備え、
前記筐体は、前記表示部の連結箇所を境界とした、前記キーボードが存在する前面側と、該前面側に対する背面側とのうち該背面側に、前記第２排気口が設けられた前記側面を有するものであることを特徴とする請求項１または２記載の電子機器。
【発明の詳細な説明】
【技術分野】
【０００１】
本件は、パーソナルコンピュータ等といった電子機器に関する。
【背景技術】
【０００２】
パーソナルコンピュータ等といった電子機器には、例えばＣＰＵ（Ｃｅｎｔｒａｌ  Ｐｒｏｃｅｓｓｉｎｇ  Ｕｎｉｔ）等に代表される発熱部品が搭載されていることが多い。そのため、このような電子機器の多くでは、発熱部品を冷却するために、装置内部に風を発生させるファンや、本体装置２００内の各所の熱を集めてファンからの風に放出するラジエータ等が内蔵されている。そして、ラジエータ等から熱を受けた風が、筐体側面等に設けられた排気口から外部に排気される（例えば、特許文献１、２参照。）。
【先行技術文献】
【特許文献】
【０００３】
【特許文献１】特開平５−２７４０６２号公報
【特許文献２】特開２００７−２７３１９号公報
【発明の概要】
【発明が解決しようとする課題】
【０００４】
ここで、近年では、ＣＰＵ等の処理能力向上に伴って、ＣＰＵ等の発熱部品における発熱量が増えつつある。そのため、上記のような電子機器の中には、風の排気効率を上げ、延いては冷却効率を上げるために、排気口が、排気方向に交わる例えば筐体の厚み方向等に２段に設けられたものがある。【０００５】
ここで、上記のように発熱量が増えている発熱部品を搭載した電子機器には、例えばノート型のパーソナルコンピュータ（ノートＰＣ）等といった小型の電子機器も多い。しかしながら、このような小型の電子機器では、上記のように排気口が２段に設けられると筐体の強度が著しく低下してしまう恐れがある。【０００６】
本件は上記事情に鑑み、筐体強度の低下を抑えて排気効率が上げられた電子機器を提供することを目的とするものである。
【課題を解決するための手段】
【０００７】
上記目的を達成する電子機器の基本形態は、筐体と複数の第１リブと複数の第２リブとを備えている。【０００８】
筐体は、電子回路を内部に収容し、その電子回路が発生した熱を内部から外部へと排出する風が通り抜ける第１排気口および第２排気口が表面に並んで設けられているものである。【０００９】
複数の第１リブは、上記第１排気口を複数の開口に仕切った複数の第１リブである。そして、各第１リブが、その第１排気口と上記第２排気口とが並んだ方向に延びている。さらに、各第１リブのその第２排気口側の端部が、各第１リブのその第２排気口とは逆側の端部よりも、上記風の下流側に位置している。【００１０】
複数の第２リブは、上記第２排気口を複数の開口に仕切った複数の第２リブである。そして、各第２リブが、上記第１排気口とその第２排気口とが並んだ方向に延び、上記複数の第１リブとは交互に配設されている。
【発明の効果】
【００１１】
本件によれば、筐体強度の低下を抑えて排気効率が上げられた電子機器を得ることができる。
【図面の簡単な説明】
【００１２】
【図１】基本形態に対する具体的な実施形態であるノートＰＣを、そのノートＰＣが開かれた開状態について示す斜視図である。
【図２】図１のノートＰＣを、そのノートＰＣが閉じられた閉状態ついて示す斜視図である。
【図３】閉状態にあるノートＰＣを、そのノートＰＣの背面側から見た斜視図である。
【図４】閉状態にあるノートＰＣを、そのノートＰＣの裏面側から見た斜視図である。
【図５】図１中の切断線Ｃ−Ｃに沿ったノートＰＣの断面図である。
【図６】図５中で四角で囲まれたエリアＤの拡大断面図である。
【図７】窓部品を詳細に示す斜視図である。
【図８】第１比較例のノートＰＣを示す模式図である。
【図９】受光窓の設置の別例を示す図である。
【図１０】受光窓と照度センサの受光面との相対的な位置関係の別例を示す図である。
【図１１】受光窓と照度センサの受光面との相対的な位置関係の更なる別例を示す図である。
【図１２】第２比較例のノートＰＣを示す模式図である。
【図１３】サブ画面と隣接する傾斜面の拡大図である。
【図１４】ノートＰＣが閉じられた状態の操作ペンの収納部周辺における、図２中の切断線Ｈ−Ｈに沿った断面図である。
【図１５】表示装置が外されて複数の傾斜背面吸気口が見える状態で示された本体装置の斜視図である。
【図１６】表示装置によって複数の傾斜背面吸気口が隠された状態のノートＰＣを示す斜視図である。
【図１７】傾斜背面吸気口の周辺についての、図１６中の切断線Ｊ−Ｊに沿った断面図である。
【図１８】受光窓の設置場所として、本体装置における傾斜面を活用した例を示す図である。
【図１９】図１中で点線で囲まれたエリアＢ内の拡大図である。
【図２０】発光窓周辺の内部構造を示す斜視図である。
【図２１】発光窓周辺の内部構造を示す平面図である。
【図２２】導光部材単体を、ＬＥＤ基板側から見た斜視図である。
【図２３】第３比較例における発光窓を示す斜視図である。
【図２４】第３比較例における発光窓周辺の内部構造を示す斜視図である。
【図２５】第３比較例における発光窓周辺の内部構造を示す平面図である。
【図２６】ＬＥＤ基板を外して導光部材を見易くした斜視図である。
【図２７】図４に示す斜面排気口と背面排気口との拡大図である。
【図２８】斜面排気口近傍についての、第１リブを通る図２７中の切断線Ｋ−Ｋに沿った断面図である。
【図２９】背面排気口近傍についての、第２リブを通る図２７中の切断線Ｌ−Ｌに沿った断面図である。
【図３０】第４比較例における排気口を示す図である。
【図３１】図１に示すＯＤＤの周辺を示す斜視図である。
【図３２】押し釦に対する押圧操作によって本体筐体外にディスクトレイが出された状態のノートＰＣを示す図である。
【図３３】図３１および図３３に示す押し釦、およびその周辺の拡大図である。
【図３４】押し釦の、図３３中の切断線Ｍ−Ｍに沿った断面図である。
【図３５】第５比較例におけるＯＤＤの押し釦の、図３４と同様の断面図である。
【図３６】カバーの第２側面と押圧面とで形成される凹部の側面形状の別例を示す図である。
【図３７】ＯＤＤが未搭載の本体装置の内部を示す図である。
【図３８】ＯＤＤが本体装置に搭載される様子を示す図である。
【図３９】図３７および図３８に示されている案内部材を含む箇所の拡大図である。
【図４０】案内部材の延在部によってケーブルが保持される様子を、本体筐体に挿入されてくるＯＤＤと共に示した模式図である。
【発明を実施するための形態】
【００１３】
以下、上記の基本形態に対する具体的な実施形態について、図面を参照して説明する。
【００１４】
図１は、基本形態に対する具体的な実施形態であるノートＰＣを、そのノートＰＣが開かれた開状態について示す斜視図である。また、図２は、図１のノートＰＣを、そのノートＰＣが閉じられた閉状態ついて示す斜視図である。また、図３は、閉状態にあるノートＰＣを、そのノートＰＣの背面側から見た斜視図である。また、図４は、閉状態にあるノートＰＣを、そのノートＰＣの裏面側から見た斜視図である。
【００１５】
これらの図に示すノートＰＣ１０は、表示装置（表示部）１００と本体装置（本体部）２００とを備えている。この表示装置１００は本体装置２００に、表示装置１００が本体装置２００に対し矢印Ａ方向に開閉自在となるように連結されている。図１には、表示装置１００が本体装置２００に対し開かれた開状態にあるノートＰＣ１０の外観図が示されている。また、図２〜４には、表示装置１００が本体装置２００に対し閉じられた閉状態にあるノートＰＣ１０の外観図が示されている。
【００１６】
表示装置１００は、表示筐体１１０内に液晶パネル１０１が、表示画面１０１ａが露出するように収納されたものである。
【００１７】
表示筐体１１０は、ノートＰＣ１０が開状態にあるときに表示画面１０１ａがユーザに向くように液晶パネル１０１を立たせて保持するものとなっている。また、表示筐体１１０は、ノートＰＣ１０が開状態にあるときにユーザに向く前面が、次のような第１面部分１１１と第２面部分１１２とを有している。第１面部分１１１は、表示画面１０１ａの法線に沿う方向を向いた面となっている。また、第２面部分１１２は、表示画面１０１ａの下方に位置し、かつ、上記の法線の向きよりも下方を向いて傾斜し、かつ、下端が表示画面１０１ａよりも奥側に達した面となっている。本実施形態では、この第２面部分１１２は、第１面部分１１１に対して表示装置１００の奥側におよそ３０°傾斜している。これら第１面部分１１１と第２面部分１１２とを有した前面は、表示画面１０１ａの周囲に広がる面となっている。
【００１８】
ここで、この表示装置１００では、表示画面１０１ａに表示される像の明るさが、このノートＰＣ１０の周囲の照度に応じた明るさに自動調節されるようになっている。そして、ノートＰＣ１０の周囲の光を表示筐体１１０内に受け入れる受光窓１０２が、上記の第２面部分１１２に設けられ、その一部として組み込まれている。更に、表示筐体１１０内には、この受光窓１０２の奥側の位置に、受光窓１０２からの入射光の照度を検出する後述の照度センサが収容されている。
【００１９】
本体装置２００は、ノートＰＣ１０が開状態にあるときに、表示装置１００に対し、表示画面１０１ａを境界とした前方と後方とのうち前方側に配備される。即ち、この本体装置２００は、ノートＰＣ１０が開状態にあるときに、表示装置１００に対してユーザ側に配備される。
【００２０】
この本体装置２００は、本体筐体２１０内に、可搬媒体である光ディスクをドライブするＯＤＤ（Ｏｐｔｉｃａｌ  Ｄｉｓｋ  Ｄｒｉｖｅ）３００や、上記の表示画面１０１ａ等に表示される情報を生成する情報処理回路を含む各種回路等が収納されたものである。
【００２１】
本体筐体２１０における、上記の閉状態の際に表示装置１００で覆われる上面２１１は、以下に説明する基本平面２１１ａと傾斜面２１１ｂとの２つの面を有している。基本平面２１１ａは、この上面２１１の半分以上を占め、使用時にほぼ水平となる面である。また、傾斜面２１１ｂは、基本平面２１１ａの、表示装置１００との連結部側で、この基本平面２１１ａと隣接している。そして、傾斜面２１１ｂは、基本平面２１１ａの向きよりも上記の前方側即ちユーザ側に傾いた向きを向いている面である。この傾斜面２１１ｂの前方側の端部は、基本平面２１１ａよりも本体装置２００の内部側に位置している。本実施形態では、この傾斜面２１１ｂは、基本平面２１１ａに対して前方側におよそ３０°傾斜している。
【００２２】
この本体装置２００は、基本平面２１１ａに沿って設けられたキーボード２０１、トラックパッド２０２、左右２つのクリックボタン２０３、指紋認証のための指紋センサ２０４を備えている。
【００２３】
更に、この本体装置２００では、表示画面１０１ａに対するサブ画面２０５が、傾斜面２１１ｂの一部として組み込まれている。このサブ画面２０５は、それに対する入力操作を検出する入力操作面を兼ねたものとなっている。そして、傾斜面２１１ｂは、その傾斜面２１１ｂの一部に、上記の接触操作に用いられる操作ペン２０６の収納部２０７を有している。例えば、このサブ画面２０５の入力操作面がそれへの接触を検出するデバイスであれば、操作ペン２０６は単なる棒状のプラスチック体であればよい。また、サブ画面２０５の入力操作面が赤外線式の場合でも操作ペン２０６は同プラスチック体であればよい。一方、サブ画面２０５の入力操作面が電磁誘導方式の検出デバイスであれば、操作ペン２０６として電子ペンを用いるようにすればよい。つまり、操作体の一例である操作ペン２０６は、サブ画面２０５の入力操作面の種類に応じて適宜変更すればよい。
【００２４】
また、傾斜面２１１ｂには、サブ画面２０５を挟んで２つのスピーカ２０８が設置され、更に、サブ画面２０５の図中右側には各種操作ボタン２０９とカメラ２２１とが設けられている。
【００２５】
更に、本体筐体２１０における前面２１２には、図中で点線で囲まれたエリアＢに、例えば充電中等といったこのノートＰＣ１０の状態を装置内のＬＥＤ（Ｌｉｇｈｔ  Ｅｍｉｔｔｉｎｇ  Ｄｉｏｄｅ）の発光光で表示する後述の発光窓が複数設けられている。
【００２６】
また、本体装置２００では、装置内の各種回路が動作時に発生する熱が、装置内から装置外へと向かう風によって装置外に排出される。そのため、本体装置２００には、その風を発生させるためのファンや、本体装置２００内の各所の熱を集めてファンからの風に放出するラジエータ等が内蔵されている。そして、本体筐体２１０の底面２１３が、この底面２１３の半分以上を占める第１の底面部分２１３ａと、ラジエータ等の収納空間の壁に相当する第２の底面部分２１３ｂとを有している。この第２の底面部分２１３ｂは第１の底面部分２１３ａよりも本体筐体２１０の外部側に位置した平面となっている。これにより、本体筐体２１０内にラジエータ等の収納空間が確保されている。
【００２７】
また、本体筐体２１０の第１の底面部分２１３ａに複数の底面吸気口２２２が設けられ、背面２１４に複数の背面吸気口２２３が設けられている。また、第２の底面部分２１３ｂから背面２１４へと向かう斜面に斜面排気口２２４が２つ設けられ、背面２１４には背面排気口２２５が２つ設けられている。斜面排気口２２４および背面排気口２２５は本体筐体２１０の外表面に並んで設けられている。また、各吸気口および排気口は、複数のリブによって複数の開口に仕切られている。
【００２８】
本実施形態のノートＰＣ１０は、図１〜図４を参照して説明した外観を有している。
【００２９】
次に、表示装置１００が備えている受光窓１０２の周辺構造について詳細に説明する。
【００３０】
図５は、図１中の切断線Ｃ−Ｃに沿ったノートＰＣの断面図である。また、図６は、図５中で四角で囲まれたエリアＤの拡大断面図である。
【００３１】
尚、図５では、受光窓１０２の周辺構造に無関係の本体装置２００の内部構造については図示が省略されており、図６では、本体装置２００自体の図示が省略されている。
【００３２】
上述したように、受光窓１０２は、表示画面１０１ａの下方に位置し、その表示画面１０１ａの法線Ｅの向きよりも下方を向いて傾斜した上記の第２面部分１１２の一部として組み込まれている。
【００３３】
そして、図６の拡大断面図から分かるように、受光窓１０２は、次のような窓部品１０３の表面の一部である。この窓部品１０３は、第２面部分１１２の、次のような位置に開けられた開口に嵌め込まれた部品である。
【００３４】
表示画面１０１ａは、上記の第１面部分１１１にその周囲を枠状に囲まれて表示筐体１１０から露出している。即ち、第１面部分１１１は、この表示画面１０１ａが露出した箇所の縁における表示筐体１１０の外表面となっている。そして、窓部品１０３が嵌め込まれた開口は、第２面部分１１２において上記の縁における外表面（即ち第１面部分１１１）よりも奥側に寄った位置に開けられている。
【００３５】
そして、表示筐体１１０の背面側の内壁面１１３における窓部品１０３の奥側の位置に、受光窓１０２からの入射光の照度を検出する照度センサ１０４が搭載されたセンサ基板１０５が固定されている。この背面側の内壁面１１３は、表示画面１０１ａとほぼ平行な面となっている。このため、照度センサ１０４における受光面の法線Ｅ’は、表示画面１０１ａの法線Ｅとほぼ同じ方向を向いている。また、このセンサ基板１０５の周囲には、液晶パネル１０１からの光が照度センサ１０４の周辺に入り込まないように、複数の遮蔽リブ１０６が配置されている。
【００３６】
図７は、窓部品を詳細に示す斜視図である。
【００３７】
図７のパート（Ａ）には、窓部品１０３の外観斜視図が示されており、パート（Ｂ）には、窓部品１０３の透視斜視図が示されている。
【００３８】
窓部品１０３は、表示筐体１１０への固定のためのフランジ１０３ａと、第２面部分１１２の開口に嵌め込まれて外部に露出する突出部１０３ｂとを有している。
【００３９】
そして、この突出部１０３ｂの、外部に露出した面（受光窓１０２）に対する裏面のうち、突出部１０３ｂが開口に嵌め込まれた状態で図６の照度センサ１０４と対向する箇所から照度センサ１０４に向かう方向に、後述の導光体１０３ｃが延びている。
【００４０】
本実施形態では、受光窓１０２が上記の第２面部分１１２の一部として組み込まれているので、その受光窓１０２は、表示画面１０１ａの法線Ｅの向きよりも下方を向いて傾斜している。つまり、受光窓１０２の法線Ｆは、表示画面１０１ａの法線Ｅに対して下方にズレ角θだけずれている。このため、受光窓１０２は、表示画面１０１ａの法線Ｅに対してズレ角θだけずれた方向を中心とした方向からの入射光を表示筐体１１０内に受け入れることとなる。
【００４１】
一方で、照度センサ１０４における受光面の法線Ｅ’は、表示画面１０１ａの法線Ｅとほぼ同じ方向を向いている。照度センサ１０４で照度が正確に検出されるためには、照度センサ１０４の受光面に、その受光面の法線Ｅ’に沿って光が入射されることが望ましい。そこで、導光体１０３ｃは、上記のようにずれた方向を中心とした入射範囲からの入射光の方向を、照度センサ１０４の受光面の法線Ｅ’に沿った方向に曲げて揃える役割を担っている。そして、この導光体１０３ｃは、そのように揃えた入射光を、照度センサ１０４まで導く。
【００４２】
この導光体１０３ｃは、突出部１０３ｂが開口に嵌め込まれた状態で図６の照度センサ１０４と対向する箇所から、照度センサ１０４の受光面の法線に沿う方向に、照度センサ１０４の近傍に達するに足る長さだけ円柱状に延びている。
【００４３】
以上に説明した窓部品１０３は、無色透明の樹脂材料で一体成形されたものである。
【００４４】
そして、突出部１０３ｂの、外部に露出した面（受光窓１０２）には、上記の導光体１０３ｃの根元に対応する箇所を円形状に抜いた黒色スクリーン１０３ｄが印刷によって設けられている。このため、入射光の入射範囲が、黒色スクリーン１０３ｄの円形状の穴に限定される。そして、その穴を通った入射光が、導光体１０３ｃによって照度センサ１０４の受光面に、この受光面の法線Ｅ’に沿って導かれる。
【００４５】
ここで、本実施形態と比較するための、第１比較例について説明する。
【００４６】
この第１比較例のノートＰＣは、受光窓および照度センサの取付け位置や、表示筐体における受光窓周辺の形状が、本実施形態のノートＰＣ１０と異なっている。
【００４７】
図８は、第１比較例のノートＰＣを示す模式図である。
【００４８】
尚、この図８では、図１等に示す本実施形態のノートＰＣ１０の構成要素と同等な構成要素が図１等と同じ符号で示されており、以下では重複説明を省略する。
【００４９】
この第１比較例のノートＰＣ５０の表示装置５００では、受光窓５０１および照度センサ５０２が、表示画面１０１ａの上方に位置している。更に、表示筐体５１０の前面は、全体が表示画面１０１ａに沿った平面となっており、受光窓５０１は、その前面の一部として組み込まれている。即ち、この第１比較例のノートＰＣ５０では、受光窓５０１は、表示画面１０１ａの法線とほぼ同じ方向を向いている。また、照度センサ５０２は、その取付け位置を除けば、本実施形態の照度センサ１０４と同様に、表示筐体５１０の背面側の内壁面における受光窓５０１の奥側の位置に固定されている。
【００５０】
このような構造を有する第１比較例のノートＰＣ５０では、受光窓５０１には、ユーザが表示画面を見る方向からの光の他に、天井照明ＵＬからの直接光や反射光、表示画面１０１ａからの回折光が多く入射する。その結果、照度センサ５０２は、本来検出するべき照度以上に高めの照度を検出してしまいがちである。このような場合には、表示画像の明るさが周囲の照度に適応したものとならず、表示画像はユーザにとって見難くなってしまう。
【００５１】
以上に説明した第１比較例に対し、本実施形態のノートＰＣ１０では、受光窓１０２が、表示画面１０１ａが露出した箇所の縁における表示筐体１１０の表面よりも奥側に寄って配置されている。更に、この受光窓１０２の上記のような傾斜によって、照度センサ１０４が光の照度を検出する検出範囲は、その中心を表示画面１０１ａの法線Ｅの向きよりも下向きとした範囲となっている。その結果、上記の天井照明ＵＬや表示画面１０１ａからの光の入射が抑えられ、主としてユーザが表示画面１０１ａを見る方向からの光の照度が照度センサ１０４で検出されることとなる。このため、照度センサ１０４で検出される照度が、本来検出するべき照度となる。これにより、本実施形態のノートＰＣ１０では、表示装置１００において表示画像が適切な明るさで表示されることとなる。
【００５２】
また、本実施形態では、表示筐体の前面が、上記の法線Ｅの向きよりも下方を向いて傾斜して下端が表示画面１０１ａよりも奥側に達した第２面部分１１２を有し、受光窓１０２は、その第２面部分１１２の一部として組み込まれている。本実施形態では、この構造により、受光窓１０２が傾けられて、天井照明ＵＬや表示画面１０１ａからの光の受光窓１０２への入射が効果的に抑えられている。
【００５３】
また、本実施形態では、受光窓１０２は、表示画面１０１ａの下方に設けられていることから、天井照明ＵＬや表示画面１０１ａからの光の受光窓１０２への入射が一層効果的に抑えられている。
【００５４】
更に、本実施形態では、受光窓１０２に設けられた黒色スクリーン１０３ｄによって、入射光の入射範囲が、黒色スクリーン１０３ｄの円形状の穴に限定される。その結果、天井照明ＵＬや表示画面１０１ａからの光の受光窓１０２への入射が一層効果的に抑えられることとなっている。
【００５５】
また、本実施形態では、上記のように傾斜した受光窓１０２で受け入れられた入射光が、導光体１０３ｃによって照度センサ１０４へと導かれる。この導光体１０３ｃにより、入射光は、照度センサ１０４の受光面の法線に沿った望ましい方向でその受光面に入射されるので、照度センサ１０４で高精度で照度が検出されることとなっている。
【００５６】
尚、本実施形態は、受光窓１０２が、第１面部分に対して傾斜した第２面部分１１２に組み込まれた形態となっている。しかしながら、この受光窓１０２の設置はこの形態に限るものではなく、次のような別例であっても良い。
【００５７】
図９は、受光窓の設置の別例を示す図である。
【００５８】
この別例では、受光窓１０２の設置位置の周辺が、表示画面１０１ａの露出箇所の縁における表示筐体１１０の表面よりも奥側に局部的に寄って凹部が形成されている。そして、受光窓１０２が、この凹部の底面部分１１２’に組み込まれている。
【００５９】
このような別例でも、本実施形態と同様に、天井照明ＵＬや表示画面１０１ａからの光に対する抑制効果を得ることができる。
【００６０】
また、本実施形態は、受光窓１０２と照度センサ１０４の受光面との相対的な位置関係が、各々の法線Ｆ，Ｅ’の方向が互いにズレ角θだけずれた位置関係となっており、このずれが導光体１０３ｃによって修正される形態となっている。しかしながら、受光窓１０２と照度センサ１０４の受光面との相対的な位置関係は、この形態に限るものではなく、次のような別例であっても良い。
【００６１】
図１０は、受光窓と照度センサの受光面との相対的な位置関係の別例を示す図である。また、図１１は、受光窓と照度センサの受光面との相対的な位置関係の更なる別例を示す図である。
【００６２】
これら図１０および図１１には、図９中の切断線Ｇ−Ｇに沿った断面について、照度センサの取り付け方が互いに異なる２種類の別例が示されている。
【００６３】
これら２種類の別例では、双方共に、受光窓１０２と照度センサ１０４’の受光面とが互いにほぼ平行な面となっている。そして、それらほぼ平行な面の法線Ｆ’の向きが、表示画面１０１ａの法線Ｅの向きに対して下方にズレ角θだけずれている。これらの別例では、受光窓１０２の法線Ｆ’に沿って入射した入射光が、導光部１０３ｃ内を曲げられることなく進んで、照度センサ１０４’の受光面に入射する。受光窓１０２と照度センサ１０４’の受光面とが互いにほぼ平行であるので、この受光面への入射方向が、そのまま受光面の法線に沿った望ましい入射方向となる。
【００６４】
図１０の別例では、照度センサ１０４’が搭載されたセンサ基板１０５’が、表示筐体１１０の内壁面１１３に傾斜した状態で固定されている。このときのセンサ基板１０５’の傾斜は、センサ基板１０５’上の照度センサ１０４’の受光面の法線の向きが、受光窓１０２の法線Ｆ’の向きとほぼ一致する傾斜となっている。
【００６５】
一方、図１１の別例では、センサ基板１０５”は、表示筐体１１０の内壁面１１３に沿って固定されている。その代わりに、照度センサ１０４’がセンサ基板１０５”に傾斜した状態で搭載されている。そして、この照度センサ１０４’の傾斜が、その照度センサ１０４’の受光面の法線の向きが、受光窓１０２の法線Ｆ’の向きとほぼ一致する傾斜となっている。
【００６６】
以上、図１０および図１１を参照して説明した別例でも、本実施形態と同様、表示画像が適切な明るさで表示されることは言うまでもない。
【００６７】
尚、本実施形態では受光窓１０２に黒色スクリーン１０３ｄを設けているが、受光窓１０２が十分小さいものであれば、この黒色スクリーン１０３ｄを不要としてもよい。
【００６８】
また、本実施形態では窓部品１０３を使用しているが、これを使用せずに同作用効果を実現するようにしてもよい。例えば、窓部品１０３を使用せず、照度センサ１０４の受光面の法線（検出範囲の中心）が表示画面１０１ａの法線Ｅ’に対して下向きとなるように、受光面を下向きにして照度センサ１０４またはセンサ基板１０５を表示筐体１１０に搭載するようにしてもよい。
【００６９】
尚、本実施形態では、表示装置の一例として、ノートＰＣ１０の表示装置１００を例示したが、上記のような受光窓や照度センサを有した表示装置は、ノートＰＣ１０の表示装置１００に限るものではない。このような表示装置は、例えば、デスクトップ型のパーソナルコンピュータで使われる表示装置や、一般的なテレビ受像機等であっても良い。
【００７０】
次に、図１に示すサブ画面２０５の周辺構造について説明する。
【００７１】
サブ画面２０５は、表示画面１０１ａと同様に液晶パネルの表示画面であり、次のような補助的な情報を画像表示するものである。この補助的な情報としては、例えば表示画面１０１ａに表示しきれないアイコン情報や、表示画面１０１ａに表示されている画像に対する拡縮や移動等の指示情報が挙げられる。本体装置２００の情報処理回路は、表示画面１０１ａ等に表示される情報に加えて、これら補助的な情報も生成するものとなっている。本実施形態では、このようなサブ画面２０５を設けることで、表示画面１０１ａの見易さや表示されている画像情報に対する操作の容易化が図られている。
【００７２】
そして、上述したように、このサブ画面２０５は、操作ペン２０６での接触操作によって情報が入力される入力操作面を兼ねたものとなっている。
【００７３】
本実施形態では、このサブ画面２０５は、基本平面２１１ａに対して前方側に傾斜した傾斜面２１１ｂの一部として組み込まれている。
【００７４】
ここで、本実施形態におけるこのサブ画面２０５の周辺構造について説明を進める前に、本実施形態と比較するための、第２比較例について説明する。
【００７５】
この第２比較例のノートＰＣは、サブ画面の組み込まれかたが、本実施形態のノートＰＣ１０と異なっている。
【００７６】
図１２は、第２比較例のノートＰＣを示す模式図である。
【００７７】
尚、この図１２では、図１等に示す本実施形態のノートＰＣ１０の構成要素と同等な構成要素が図１等と同じ符号で示されており、以下では重複説明を省略する。
【００７８】
この第２比較例のノートＰＣ６０では、本体装置６００の上面６０１が、ほぼ全体に亘って同一平面に沿った面となっている。そして、サブ画面６０２は、この上面６０１における表示筐体１００側に、この上面６０１の一部として組み込まれている。
【００７９】
ここで、一般的にノートＰＣは、本体装置が水平に置かれて使われる。そのため、第２比較例のノートＰＣ６０では、ユーザは、サブ画面６０２を浅い角度から見ることとなる。サブ画面６０２は液晶パネルの表示画面であるが、ユーザがサブ画面６０２を見る角度が上記のように浅いと液晶パネルの視野角から外れ易い。その結果、第２比較例のノートＰＣ６０では、サブ画面６０２の視認性が低くなりがちである。
【００８０】
以上に説明した第２比較例に対し、本実施形態のノートＰＣ１０では、サブ画面２０５が、基本平面２１１ａに対して前方側に傾斜している。このため、ユーザがサブ画面２０５を見る角度が第２比較例に比べて深くなる。その結果、ユーザがサブ画面２０５を見る角度がサブ画面２０５の視野角から外れ難い。
【００８１】
また、本実施形態では、ユーザがサブ画面２０５を見る角度が視野角から外れ難いことから、サブ画面２０５として、標準的な視野角を有する一般的な液晶パネルが採用されている。
【００８２】
また、本実施形態では、上記の傾斜面２１１ｂの一部としてサブ画面２０５が組み込まれるという簡単な構成により、上記のようなサブ画面２０５の傾斜が実現されている。
【００８３】
また、本実施形態では、サブ画面２０５と隣接する傾斜面２１１ｂに、上述したように各種部品等が設けられている。
【００８４】
図１３は、サブ画面と隣接する傾斜面の拡大図である。
【００８５】
上記の図１や、この図１３に示すように、傾斜面２１１ｂには、サブ画面２０５と隣接する傾斜面２１１ｂに、上述したようにスピーカ２０８、各種操作ボタン２０９、およびカメラ２２１が設けられている。
【００８６】
ユーザ側に傾いた傾斜面２１１ｂにスピーカ２０８が設けられているので、本実施形態では、スピーカ２０８の音がユーザ側に向かい易く、ユーザがその音を聞き取り易くなっている。また、各種操作ボタン２０９がこのような傾斜面２１１ｂに設けられているので、それら操作ボタン２０９の操作性が向上している。また、カメラ２２１についても、撮影対象である例えばユーザの顔等が画角に入り易くなっている。
【００８７】
ここで、傾斜面２１１ｂは、上述したように、基本平面２１１ａの向きよりも前方側に傾いた向きを向いている。そして、傾斜面２１１ｂにおける前方側の端部２１１ｂ＿１が基本平面２１１ａよりも本体装置２００の内部側に位置している。そして、この前方側の端部２１１ｂ＿１が本体装置２００の内部側に位置することによってできた凹みが、操作ペン２０６の収納部２０７として活用されている。これにより、操作ペン２０６が、ユーザの目に付き易い場所に収納されることとなる。
【００８８】
一方で、本実施形態では、上記の基本平面２１１ａがキーボード２０１の設置場所として利用されており、キーボード２０１は、この基本平面２１１ａに沿って取り付けられている。このようなキーボード２０１の配置と、上記のようなサブ画面２０５の傾斜とが相俟って、ユーザは、キーボード２０１を操作しながら良好な視認性でサブ画面２０５を見ることができる。
【００８９】
また、この収納部２０７は、操作ペン２０６が収納された状態でノートＰＣ１０が閉じられても、操作ペン２０６が表示装置１００と干渉しないように設けられている。
【００９０】
図１４は、ノートＰＣが閉じられた状態の操作ペンの収納部周辺における、図２中の切断線Ｈ−Ｈに沿った断面図である。
【００９１】
この図１４の断面図に示すように、ノートＰＣ１０が閉じられた状態でも、本体装置２００の内部側に位置する傾斜面２１１ｂの前方側の端部２１１ｂ＿１と表示装置１００との間には隙間が存在する。収納部２０７は、この隙間に設けられており、操作ペン２０６は、表示装置１００と干渉することなくこの収納部２０７に収納されることとなっている。
【００９２】
尚、本実施形態では、本体装置２００の内部側に位置する傾斜面２１１ｂの前方側の端部２１１ｂ＿１と表示装置１００との間にある隙間を有効活用するために、この隙間に収納部２０７を設けているが、必ずしもこの収納部２０７を設ける必要はない。
【００９３】
また、この図１４の断面図および図１３の斜視図に示すように、本実施形態では、傾斜面２１１ｂの後方側の端部２１１ｂ＿２が、基本平面２１１ａよりも本体装置２００の外部側に位置している。
【００９４】
ここで、本実施形態では、上述したように表示装置１００における第２面部分１１２は、下端が表示画面１０１ａよりも奥側に達した傾斜面となっている。その結果、表示装置１００には凹みが出来ている。ノートＰＣ１０が閉じられた状態では、上記のように本体装置２００の外部側に位置した傾斜面２１１ｂの後方側の端部２１１ｂ＿２が、表示装置１００における上記の凹みに入り込むこととなっている。これにより、上記のような傾斜面２１１ｂを設けることによる本体装置２００での厚み方向の増し分が、表示装置１００に分担されている。その結果、ノートＰＣ１０全体で、厚み方向の増し分が抑えられている。
【００９５】
また、図１３の斜視図に示すように、本実施形態では、本体装置２００の外部側に位置した傾斜面２１１ｂの後方側の端部２１１ｂ＿２に繋がる側面に複数の傾斜側面吸気口２２６が設けられている。また、本実施形態では、図１３に示されている図中右側の傾斜面２１１ｂの側面だけでなく左側の側面にも同様に複数の傾斜側面吸気口２２６が設けられている。
【００９６】
更に、本実施形態では、傾斜面２１１ｂの後方側の端部２１１ｂ＿２に繋がる背面にも、次のような複数の傾斜背面吸気口が設けられている。
【００９７】
図１５は、表示装置が外されて複数の傾斜背面吸気口が見える状態で示された本体装置の斜視図である。図１６は、表示装置によって複数の傾斜背面吸気口が隠された状態のノートＰＣを示す斜視図である。図１７は、傾斜背面吸気口の周辺についての、図１６中の切断線Ｊ−Ｊに沿った断面図である。
【００９８】
図１５に示すように、複数の傾斜背面吸気口２２７は、傾斜面２１１ｂの後方側の端部２１１ｂ＿２に繋がる背面に配列されている。これらの傾斜背面吸気口２２７は、図１６に示すように、ノートＰＣ１０が開かれた状態では、外観視で表示装置１００によって隠されているように見える。しかしながら、図１７に示すように、傾斜面２１１ｂの後方側の端部２１１ｂ＿２に繋がる背面と表示装置１００との間には隙間が存在する。そして、傾斜背面吸気口２２７から、この隙間を通ってきた空気が本体筐体２２０の内部に取り込まれることとなる。
【００９９】
このように、本実施形態では、図４に示した吸気口２２２，２２３に加えて、傾斜面２１１ｂの後方側の端部２１１ｂ＿２の突出を利用した傾斜側面吸気口２２６と傾斜背面吸気口２２７とが設けられている。これにより、本体筐体２２０の内部での冷却効率が高められている。
【０１００】
尚、本実施形態では、傾斜面２２１ｂによって生じるスペースに設けた開口を吸気口（傾斜側面吸気口２２６、傾斜背面吸気口２２７）として利用しているが、排気口として利用してもよい。
【０１０１】
また、本実施形態では、傾斜面２２１ｂによって生じるスペースを有効活用するために、傾斜側面吸気口２２６、傾斜背面吸気口２２７を設けているが、必ずしも必要とするものではない。
【０１０２】
尚、本実施形態では、上記のようなサブ画面を備えた電子機器の一例として、ノートＰＣ１０の本体装置２００を例示したが、上記のような電子機器は、ノートＰＣ１０の本体装置２００に限るものではない。このような電子機器は、例えば、表示装置とは別体で、ユーザがその表示装置の表示画像を見ながら操作するパーソナルコンピュータ等であっても良い。
【０１０３】
また、本実施形態では、上述した受光窓１０２が、表示装置１００に設けられている。これは、上述したように天井照明ＵＬや表示画面１０１ａからの受光窓１０２への光の入り込みを抑えるためである。しかしながら、仮にこのような光の入り込みによる影響を考慮しないとすれば、受光窓１０２の設置場所として、本体装置２００における上記の傾斜面２１１ｂを活用することも考えられる。
【０１０４】
図１８は、受光窓の設置場所として、本体装置における傾斜面を活用した例を示す図である。
【０１０５】
この図１８の例では、サブ画面２０５に図中右側で隣接する傾斜面２１１ｂが、受光窓１０２’の設置場所として利用されている。そして、この例では、本体装置２００内に、不図示の照度センサが、この受光窓１０２’の奥側に配置されている。
【０１０６】
次に、本体筐体２１０における前面２１２の、図１中で点線で囲まれたエリアＢに設けられた、このノートＰＣ１０の状態を装置内のＬＥＤの発光光で表示する複数の発光窓
の周辺の構造について詳細に説明する。
【０１０７】
図１９は、図１中で点線で囲まれたエリアＢ内の拡大図である。
【０１０８】
この図１９に示すように、本実施形態では、上記の発光窓２２８が、本体筐体２１０における前方側の側面に４種類設けられている。また、各種類の発光窓２２８がノートＰＣ１０のどのような状態を表しているかは、点灯するその発光窓２２８の形で判別されるようになっている。
【０１０９】
続いて、本体装置２００におけるこの発光窓２２８周辺の内部構造について説明する。
【０１１０】
図２０は、発光窓周辺の内部構造を示す斜視図である。また、図２１は、発光窓周辺の内部構造を示す平面図である。
【０１１１】
本体装置２００の内部には、４個のＬＥＤ２２９が互いに間隔を空けて配列して搭載されたＬＥＤ基板２３１が、ＬＥＤ２２９の搭載面を装置外側に向けて設置されている。
【０１１２】
そして、本体装置２００には、このＬＥＤ２２９から発せられた光を発光窓２２８に導くための導光部材２４０が備えられている。
【０１１３】
図２２は、導光部材単体を、ＬＥＤ基板側から見た斜視図である。
【０１１４】
導光部材２４０は、図２０や図２１にも示す４つの導光体２４１と３つの遮光壁２４２とが接続部２４３によって相互に繋がれて一体となったものである。
【０１１５】
図２２のパート（Ａ）に、この導光部材２４０における４つの導光体２４１と３つの遮光壁２４２が全体的に見える斜視図が示されている。
【０１１６】
導光体２４１は、各ＬＥＤ２２９に向けて突き出し、ＬＥＤ２２９から発せられた光をその突き出した方向に導くものである。遮光壁２４２は、４つの導光体２４１の相互間に位置し、導光体２４１に向く表面で光の透過を阻害するものである。そして、接続部２４３が、一列に並んだ４つの導光体２４１と３つの遮光壁２４２とを相互に繋いでいる。本実施形態では、この接続部２４３、一列に並んだ４つの導光体２４１、および３つの遮光壁２４２が樹脂材料等で一体成形されることで導光部材２４０が得られている。即ち、遮光壁２４２および接続部２４３は、導光体２４１の材料と同じ材料で形成されたものとなっている。
【０１１７】
本実施形態では、上記の導光部材２４０が、本体筐体２１０における前方側の側壁を兼ねている。更に、この導光部材２４０における、本体筐体２１０の外面に相当する壁面にはメッキが施されている。そして、各導光体２４１が光を導く導き先の箇所のメッキが、各発光窓２２８の形状に抜かれている。これにより、各ＬＥＤ２２９から発せられた光が各発光窓２２８まで導かれて、発光窓２２８が本体筐体２１０外部に光を発することとなる。
【０１１８】
また、本実施形態では、導光部材２４０が有する各遮光壁２４２の導光体２４１に向く表面が、光の透過を阻害する程度の粗面となっている。
【０１１９】
図２２のパート（Ｂ）に、表面が粗面２４２＿１となった遮光壁２４２の拡大図が示されている。
【０１２０】
この粗面２４２＿１により、あるＬＥＤ２２９からの光の、そのＬＥＤ２２９に対応した導光体２４１や発光窓２２８と隣り合った導光体２４１や発光窓２２８への漏れが抑制される。
【０１２１】
ここで、この本実施形態と比較するための、第３比較例について説明する。
【０１２２】
尚、この第３比較例については、本体装置における発光窓の周辺構造のみに注目した説明を行う。
【０１２３】
図２３は、第３比較例における発光窓を示す斜視図である。また、図２４は、第３比較例における発光窓周辺の内部構造を示す斜視図である。また、図２５は、第３比較例における発光窓周辺の内部構造を示す平面図である。
【０１２４】
この第３比較例のノートＰＣ７０では、本体装置７００の、前面における図中右側の角の近傍に４つの発光窓７０１が備えられている。
【０１２５】
そして、本体装置７００内におけるその発光窓７０１の近傍には、４個のＬＥＤ７０２が、互いに間隔を空けて配列して搭載されたＬＥＤ基板７０３が、ＬＥＤ７０２の搭載面を装置外側に向けて設置されている。
【０１２６】
そして、本体装置７００には、このＬＥＤ７０２から発せられた光を発光窓７０３に導くための導光部材７１０が備えられている。
【０１２７】
図２６は、ＬＥＤ基板を外して導光部材を見易くした斜視図である。
【０１２８】
導光部材７１０は、図２４や図２５にも示す４つの導光体７１１が接続部７１２によって相互に繋がれて一体となったものである。導光体７１１は、各ＬＥＤ７０２に向けて突き出して、ＬＥＤ７０２から発せられた光をその突き出した方向に導くものである。そして、接続部７１２は、４つの導光体７１１を相互に繋いで一体となった、導光体７１１の材料と同じ材料で形成されたものである。
【０１２９】
ここで、この比較例のノートＰＣ７０では、あるＬＥＤ７０２からの光の、そのＬＥＤ７０２に対応した導光体７１１や発光窓７０１と隣り合った導光体７１１や発光窓７０１への漏れを抑制するための遮光壁７０４が本体筐体７２０の底面から突出している。この比較例では、導光体７１１と遮光壁７０４とが別体であることから構造が複雑になっている。そのため、製造誤差等に起因して、製造時に導光体７１１と遮光壁７０４との相互間の相対的な位置合せが上手くいかず、上記のような光の漏れを抑制しきれない事態が生じる恐れがある。更に、導光体７１１と遮光壁７０４とが込み入った構造となっているので、将来、省スペース化の要請があったときに対応が難しい。
【０１３０】
以上に説明した第３比較例に対し、本実施形態のノートＰＣ１０では、上記の導光体２４１と遮光壁２４２とが接続部２４３によって導光部材２４０として一体に繋げられている。この構造によれば、導光体７１１と遮光壁７０４とが別体である上記の第３比較例よりも導光体２４１と遮光壁２４２との製造時における相互間の相対的な位置合せが遥かに容易である。その結果、上記のような光の漏れを確実に抑制することができる。また、本実施形態では、上記のような導光部材２４０が採用されることで、本体装置２００の前面２１２側の内部構造が単純化されている。そのため、将来の省スペース化の要請に対応し易くなっている。
【０１３１】
また、本実施形態では、上記の導光部材２４０が、上述したように本体筐体２１０における前方側の側壁を兼ねている。これにより、本体筐体２１０の部品点数が削減されて、製造コストの低減が図られている。更に、本実施形態では、各導光体２４１が光を導く導き先の箇所のメッキが抜かれることで、各発光窓２２８が形成されている。これによっても、本体筐体２１０の部品点数の削減と、その削減に伴う製造コストの低減が図られている。
【０１３２】
また、本実施形態は、遮光壁２４２の表面が、光の透過を阻害する程度の粗面２４２＿１となっていることで、光の漏れが抑制されている。粗面２４２＿１の形成は、例えば、導光部材２４０が樹脂材料で一体成形されるときの型への粗面の作り込みによって、導光部材２４０自体の形成と同時に行うことができる。本実施形態では、このような点でも、製造コストの低減が図られている。
【０１３３】
ここで、この遮光壁２４２による光の漏れ抑制の方法としては、この粗面２４２＿１による方法以外にも、遮光壁２４２の導光体２４１に向く表面にメッキを施すという方法も考えられる。
【０１３４】
図２２のパート（Ｃ）には、表面にメッキ２４２’＿１が施された別例の遮光壁２４２’の拡大図が示されている。
【０１３５】
メッキ２４２’＿１が施された別例の遮光壁２４２’は遮光性が高く、光の透過を一層確実に阻害することができる。
【０１３６】
また、光の漏れ抑制の方法として、遮光壁２４２の導光体２４１に向く表面に光の透過を阻害する塗料を塗布するという方法も考えられる。
【０１３７】
図２２のパート（Ｄ）には、表面に上記のような塗料２４２”＿１が塗布された別例の遮光壁２４２”の拡大図が示されている。
【０１３８】
塗料２４２”＿１の塗布は、処理が容易であることから製造コストの低減に繋がる。また、別例の遮光壁２４２”では、塗料２４２”＿１の塗布範囲を任意に設定したり、また塗布後に修正したりすることができる。
【０１３９】
尚、本実施形態では、上記のような導光部材を備えた電子機器の一例として、ノートＰＣ１０の本体装置２００を例示したが、上記のような電子機器は、ノートＰＣ１０の本体装置２００に限るものではない。このような電子機器は、例えば、デスクトップ型のパーソナルコンピュータや、ＬＥＤの発光による表示機構を備えた一般的な電子機器等であっても良い。
【０１４０】
また、本実施形態では、点灯する発光窓２２８のその形によってノートＰＣ１０の動作状態をユーザが理解できるようにしているが、発光窓２２８を同一形状とし、発光窓２２８に対応するＬＥＤの発光色を変更させることでそれを実現するようにしてもよい。
【０１４１】
次に、本体筐体２１０における、図４に示す斜面排気口２２４と背面排気口２２５とについて詳細に説明する。
【０１４２】
図２７は、図４に示す斜面排気口と背面排気口との拡大図である。
【０１４３】
上述したように、本実施形態では、ラジエータ等の収納空間確保のために本体筐体２１０の外部側に位置した第２の底面部分２１３ｂから背面２１４へと向かう斜面に斜面排気口２２４が設けられている。そして、背面２１４に、背面排気口２２５が設けられている。そして、これら２種類の排気口２２４，２２５は、本体筐体２１０の外表面に並んで設けられている。
【０１４４】
ここで、斜面排気口２２４は、本体筐体２１０の強度低下を抑制するために、次のような第１リブ２２４ａで複数の開口に仕切られている。
【０１４５】
図２８は、斜面排気口近傍についての、第１リブを通る図２７中の切断線Ｋ−Ｋに沿った断面図である。
【０１４６】
この図２８には、本体筐体２１０内で風を発生させるファン２５１や、そのファン２５１に対して風の流れの下流側に配置され、その風に本体筐体２１０内の各所から集めた熱を放出するラジエータ２５２が示されている。ここで、ラジエータ２５２は、本体筐体２１０の厚み方向にある程度の厚みを有する収納空間を必要とする。上述したように、本実施形態では、この収納空間を確保するために、底面２１３の一部が、底面２１３の半分以上を占める第１の底面部分２１３ａよりも本体筐体２１０の外部側に突出している。この突出した底面部分が第２の底面部分２１３ｂである。
【０１４７】
そして、第２の底面部分２１３ｂから背面２１４へと向かう斜面に斜面排気口２２４が設けられている。そして、背面２１４に、斜面排気口２２４の上方側に並んで背面排気口２２５が設けられている。ここで、斜面排気口２２４は、以下に説明する第１リブ２２４ａで複数の開口に仕切られており、図２８には、この第１リブ２２４ａの断面が示されている。
【０１４８】
第１リブ２２４ａは、２種類の排気口２２４，２２５が並んだ上下方向に延びたリブである。そして、第１リブ２２４ａの背面排気口２２５側の端部が、その背面排気口２２５とは逆側の端部よりも、上記の風の下流側に位置している。これにより、この第１リブ２２４ａに当たって斜面排気口２２４を通り抜け損ねた風も、上方に並んだ背面排気口２２５側へと押し上げられてその背面排気口２２５から排気される。その結果、ラジエータ２５２からの熱を受けた風が効率的に排気されることとなり、延いては冷却効率が向上することとなっている。
【０１４９】
一方、背面排気口２２５は、本体筐体２１０の強度低下を抑制するために、次のような第２リブ２２５ａで複数の開口に仕切られている。
【０１５０】
図２９は、背面排気口近傍についての、第２リブを通る図２７中の切断線Ｌ−Ｌに沿った断面図である。
【０１５１】
この図２９には、背面２１４に、斜面排気口２２４の上方側に並んで設けられている背面排気口２２５を仕切る第２リブ２２５ａの断面が示されている。
【０１５２】
第２リブ２２５ａは、２種類の排気口２２４，２２５が並んだ上下方向に延びたリブである。そして、斜面排気口２２４を仕切る複数の第１リブ２２４ａとは、図２７にも示されているように交互に配設されている。つまり、複数の第２リブ２２５ａは、複数の第１リブ２２４ａにより形成された斜面排気口２２４の各開口の上方に位置することになる。この交互の配設により、第１リブ２２４ａによって斜面排気口２２４側から押し上げられてきた風が、背面排気口２２５の第２リブ２２５ａに遮られることなくスムーズに排気される。これにより、冷却効率の一層の向上が図られている。
【０１５３】
また、本実施形態では、本体筐体２１０の厚み方向に幅広となっている背面排気口２２５には、図２７に示すようにこの背面排気口２２５の箇所での強度を更に補強するために、第２リブ２２５ａと交差する方向に延びる第３リブ２２５ｂも設けられている。なお、本実施形態では、強度補強のために背面排気口２２５に第３リブ２２５ｂを設けているが、その強度が十分なものであれば、第３リブ２２５ｂを設けなくてもよい。
【０１５４】
ここで、この本実施形態と比較するための、第４比較例について説明する。
【０１５５】
尚、この第４比較例については、本体装置における排気口のみに注目した説明を行う。
【０１５６】
図３０は、第４比較例における排気口を示す図である。
【０１５７】
この第４比較例は、背面排気口８０２を仕切る第２リブ８０２ａの、斜面排気口８０１を仕切る第１リブ８０１ａに対する相対位置のみが、本実施形態と異なっている。この第４比較例では、各第２リブ８０２ａは、各第１リブ８０１ａの延長線上に配設されている。その結果、第１リブ８０１ａによって斜面排気口８０１側から押し上げられてきた風が、背面排気口８０２の第２リブ８０２ａに遮られてしまい排気効率が低下する恐れがある。更に、第２リブ８０２ａが第１リブ８０１ａの延長線上に配設されていることから、複数の第２リブ８０２ａの相互間、および複数の第１リブ８０１ａの相互間の支えが無く、排気口での本体筐体８１０の強度が低くなっている。
【０１５８】
以上に説明した第４比較例に対し、本実施形態のノートＰＣ１０では、複数の第２リブ２２５ａが複数の第１リブ２２４ａとは交互に配設されていることから、上記のように排気がスムーズに行われ排気効率が向上している。更に、この交互の配設により、第１リブ２２４ａの相互間が第２リブ２２５ａによって補強され、第２リブ２２５ａの相互間が第１リブ２２４ａによって補強されることとなる。つまり、本実施形態では、筐体強度の低下を抑えて排気効率が上げられている。
【０１５９】
また、本実施形態では、本体筐体２１０におけるキーボード２０１が存在する前面側とは反対の背面側、即ち、ユーザ側とは逆側に上記の排気口２２４，２２５が設けられている。これにより、ラジエータ２５２からの熱を受けた風がユーザとは逆側に排気されることなるので、ユーザの不快感が回避されることとなる。
【０１６０】
また、本実施形態では、ラジエータ２５２の収納空間確保のために本体筐体２１０の外部側に位置した第２の底面部分２１３ｂから背面２１４へと向かう斜面に斜面排気口２２４が設けられている。つまり、本実施形態は、冷却のために生じた底面２１３の突出形状が有効に利用されて斜面排気口２２４が設けられた効率的な構造となっている。
【０１６１】
尚、本実施形態では、上記のような排気口を備えた電子機器の一例として、ノートＰＣ１０の本体装置２００を例示したが、上記のような電子機器は、ノートＰＣ１０の本体装置２００に限るものではない。このような電子機器は、例えば、デスクトップ型のパーソナルコンピュータや、装置内部から外部へと風を排気する排気口を備えた一般的な電子機器等であっても良い。
【０１６２】
次に、図１に示すＯＤＤ３００の周辺構造について詳細に説明する。
【０１６３】
図３１は、図１に示すＯＤＤの周辺を示す斜視図である。
【０１６４】
本体筐体２１０の底面２１３から立上がった前面２１２には、ＯＤＤ３００が有するディスクトレイ３１０が進退自在に収容される開口２１２ａが開けられている。そして、この開口２１２ａは、ディスクトレイ３１０の収容時には、そのディスクトレイ３１０のカバー３１１の外側面でふさがれている。
【０１６５】
ここで、ＯＤＤ３００では、ディスクトレイ３１０が本体装置２００の外部側に向けて不図示のバネによって付勢されている。ディスクトレイ３１０の収容時には、このディスクトレイ３１０は、バネの付勢力に反してロックされている。ＯＤＤ３００には、このロックの解除を行う電子回路３４０（図３２に図示）が備えられている。そして、カバー３１１の外側面には、押圧操作によってディスクトレイ３１０の取出しを表した信号をこの電子回路３４０（図３２に図示）に与えるための押し釦３２０が備えられている。
【０１６６】
図３２は、押し釦に対する押圧操作によって本体筐体外にディスクトレイが出された状態のノートＰＣを示す図である。
【０１６７】
ディスクトレイ３１０は、カバー３１１に対する本体筐体２１０側が、光ディスク３３０が載置されるトレイ部３１２となっている。そして、このトレイ部３１２に、上記のようなロックの解除を行う電子回路３４０が搭載されている。
【０１６８】
ディスクトレイ３１０が収納されている状態で押し釦３２０が押圧されると、ディスクトレイ３１０の取出しを表した信号が上記の電子回路３４０に伝えられる。そして、その電子回路３４０がロックを解除することによって、ディスクトレイ３１０が、不図示のバネの付勢力によって前面２１２の開口２１２ａから押し出される。
【０１６９】
ここで、本実施形態では、ディスクトレイ３１０のカバー３１１の外側面、および、その外側面に取り付けられている押し釦３２０の押圧面３２１が、以下に説明する形状を有している。
【０１７０】
図３３は、図３１および図３３に示す押し釦、およびその周辺の拡大図である。
【０１７１】
ディスクトレイ３１０のカバー３１１の外側面は、本体筐体２１０の底面２１３側から立ち上がった第１側面３１１ａと、第１側面３１１ａの上方に繋がった、第１側面３１１ａよりも外側へとせり出した第２側面３１１ｂとを有している。
【０１７２】
そして、押し釦３２０の押圧面３２１は、第１側面３１１ａに沿って広がった面であり、一部が第１側面３１１ａの一部となり、他の一部が第２側面３１１ｂに対する凹部の底となった形状を有している。
【０１７３】
図３４は、押し釦の、図３３中の切断線Ｍ−Ｍに沿った断面図である。
【０１７４】
この図３４からも分かるように、押し釦３２０の押圧面３２１の上端部分が、第２側面３１１ｂに対する凹部の底となっている。そして、この押し釦３２０は、押圧面３２１の第２側面３１１ｂ側の端部でディスクトレイ３１０のカバー３１１に繋がった片持ち構造となっている。そして、この押し釦３２０は、押圧操作によってこの端部で撓むこととなっている。
【０１７５】
また、押し釦３２０の押圧面３２１とは反対側の裏面には、ＯＤＤ３００の内側に突出した突起３２２が備えられている。更に、ＯＤＤ３００内には、この突起３２２の先端に対向して接点部３２３が設けられている。押し釦３２０が押圧操作によって上記のように撓むと、突起３２２が接点部３２３を押す。これによって接点が閉じ、ディスクトレイ３１０の取出しを表した信号が上記の電子回路３４０に伝えられる。
【０１７６】
ここで、この本実施形態と比較するための、第５比較例について説明する。
【０１７７】
尚、この第５比較例については、ＯＤＤのディスクトレイのカバーに設けられた押し釦のみに注目した説明を行う。
【０１７８】
図３５は、第５比較例におけるＯＤＤの押し釦の、図３４と同様の断面図である。
【０１７９】
この第５比較例において、ＯＤＤ９００のディスクトレイ９１０のカバー９１１の外側面は、本体筐体の底面側から立ち上がった第１側面９１１ａと、第１側面９１１ａの上方に繋がった、第１側面９１１ａよりも外側へとせり出した第２側面９１１ｂとを有している。
【０１８０】
そして、押し釦９２０の押圧面９２１は、全体的にカバー９１１に連なってカバー９１１の外側面の一部となっている。即ち、この押圧面９２１は、第１側面９１１ａの一部となった第１押圧面９２１ａと、第２側面９１１ｂの一部となった第２押圧面９２１ｂとを有している。
【０１８１】
ここで、ディスクトレイ９１０のカバー９１１が位置しているノートＰＣの前面は、幅狭となっている。そのため、ユーザからは、そのカバー９１１に取り付けられている押し釦９２０が見え難くなっている。そして、多くの場合、ユーザは、そのような押し釦９２０を手探りで探し当てて押圧する。しかしながら、この第５比較例のように、押し釦９２０の押圧面９２１の形状が、周囲のカバー９１１の外側面形状と一致していると、ユーザが押し釦９２０を手探りで探すことも難しい。
【０１８２】
以上に説明した第５比較例に対し、本実施形態のノートＰＣ１０では、上記のように押し釦３２０の上端部分が、第２側面３１１ｂに対する凹部の底となっている。その結果、手探りでこの押し釦３２０を探すユーザの指が、この押し釦３２０と第２側面３１１ｂとの段差部分に引っ掛かる。これにより、押し釦３２０を容易に操作することができることとなっている。
【０１８３】
また、本実施形態では、押し釦３２０が上記のような片持ち構造となっている。
【０１８４】
ここで、上記の第５比較例も、押し釦９２０が、上端側でカバー９１１に繋がった片持ち構造となっている。しかしながら、この第５比較例での片持ち構造では、外側へとせり出した第２押圧面９２１ｂの上端がカバー９１１に繋がっている。このため、押圧操作によって撓むこの上端が、押圧方向に対して傾いていて押圧力が伝わり難く、延いては撓み難くなっている。
【０１８５】
これに対し、本実施形態では、押し釦３２０が第１側面３１１ａに沿って広がった押圧面３２１を有しており、その押圧面３２１の上端でカバー３１１に繋がっている。その結果、押圧操作によって撓むこの上端が、押圧方向と交差しており押圧力が伝わり易く、延いては撓み易くなっている。
【０１８６】
また、本実施形態では、第２側面３１１ｂと押圧面３２１とで形成される凹部の側面が、第２側面３１１ｂから押圧面３２１へと、この押圧面３２１に対してほぼ垂直に向かう面となっている。これに対し、この凹部の側面形状について、以下に説明する別例のように工夫を施すことも考えられる。
【０１８７】
図３６は、カバーの第２側面と押圧面とで形成される凹部の側面形状の別例を示す図である。
【０１８８】
この図３６に示す別例では、カバー３１１’の第２側面３１１ｂ’と押圧面３２１とで形成される凹部の側面が、第２側面３１１ｂから押圧面３２１へと傾斜した傾斜面３１１ｂ’＿１となっている。この別例では、押し釦３２０を探すユーザの指は、押し釦３２０の上端周辺に広がる上記の傾斜面３１１ｂ’＿１にも触れるので、ユーザが押し釦３２０を感得する範囲が広がることとなる。その結果、ユーザは、押し釦３２０を一層容易に操作することができる。
【０１８９】
尚、本実施形態では、上記のような押し釦を備えた収容体を備えた電子機器の一例として、ＯＤＤ３００を備えたノートＰＣ１０の本体装置２００を例示したが、上記のような電子機器は、このようなノートＰＣ１０の本体装置２００に限るものではない。このような電子機器は、例えば光ディスク以外のディスク状可搬媒体のドライブ装置を備えたノートＰＣやデスクトップ型のパーソナルコンピュータ等であっても良い。
【０１９０】
ディスク状可搬媒体の一例としては、例えば、ＣＤ−ＲＯＭ（Ｃｏｍｐａｃｔ  Ｄｉｓｋ  Ｒｅａｄ  Ｏｎｌｙ  Ｍｅｍｏｒｙ）やＤＶＤ（Ｄｉｇｉｔａｌ  Ｖｅｒｓａｔｉｌｅ  Ｄｉｓｃ）等が挙げられる。また、上記のような電子機器は、コンピュータに限るものでもなく、例えばＤＶＤプレイヤー等といった、上記のようなドライブ装置を備えた一般的な電子機器であっても良い。
【０１９１】
ここで、本実施形態のノートＰＣ１０では、上記のようにディスクトレイ３１０が出し入れされる前面２１２の開口２１２ａから、ＯＤＤ３００自体を本体装置２００に着脱自在に搭載することができるようになっている。これは、例えば、当初は未搭載のＯＤＤ３００のユーザの希望に応じた取付けや、搭載済みのＯＤＤ３００の新機種との交換等を想定したものである。
【０１９２】
以下、このＯＤＤ３００の搭載構造について詳細に説明する。
【０１９３】
図３７は、ＯＤＤが未搭載の本体装置の内部を示す図である。図３８は、ＯＤＤが本体装置に搭載される様子を示す図である。
【０１９４】
これら図３７および図３８では、本体装置２００が、図４のように裏返しに置かれ更に裏面側のカバー等が取り外された状態の斜視図で示されている。そして、図３８では、ＯＤＤ３００が、本体装置２００と同様に裏返された状態の斜視図で示されている。
【０１９５】
図３８に示されているように、ＯＤＤ３００は、上記のカバー３１１を本体装置２００の前方側に向けて、そのカバー３１１とは反対側の後端から上記の開口２１２ａに挿入されることで本体装置２００に搭載される。このＯＤＤ３００の後端には、後述するように雄型のコネクタが取り付けられている。
【０１９６】
一方、本体装置２００の内部には、図３７および図３８に示されているように、上記の雄型のコネクタと嵌合する雌型のコネクタ２５３が取り付けられている。
【０１９７】
上記のようにＯＤＤ３００が本体装置２００に搭載されると、ＯＤＤ３００側の雄型のコネクタが、本体装置２００内の雌型のコネクタ２５３と嵌合することで、ＯＤＤ３００が本体装置２００に電気的に接続される。
【０１９８】
ここで、本体装置２００の内部には、ＯＤＤ３００側の雄型のコネクタが本体装置２００内の雌型のコネクタ２５３と正確に嵌合するように、ＯＤＤ３００の後端を雌型のコネクタ２５３へと案内する案内部材２５４が取り付けられている。
【０１９９】
図３９は、図３７および図３８に示されている案内部材を含む箇所の拡大図である。
【０２００】
案内部材２５４は、次のような延在部２５４ａと保持部２５４ｂとを有している。
【０２０１】
延在部２５４ａは、上記のように挿入されてくるＯＤＤ３００の後端が接触する位置で、本体筐体２１０との間に隙間を空けて、ＯＤＤ３００の挿入経路に交わる方向に延在したものである。そして、延在部２５４ａは、そのＯＤＤ３００の後端が接触することでその後端を雌型のコネクタ２５３へと案内する。また、保持部２５４ｂは、延在部２５４ａの一端に繋がった、延在部２５４ａを本体筐体２１０に対して固定された位置に保持するものである。
【０２０２】
更に、案内部材２５４は、延在部２５４ａに、雌型のコネクタ２５３に向かって延びる複数のリブ２５４ｃを有している。これら複数のリブ２５４ｃは、ＯＤＤ３００の後端を雌型のコネクタ２５３側に寄せる方向に傾斜している。延在部２５４ａに接触して雌型のコネクタ２５３へと案内されたＯＤＤ３００の後端は、これら複数のリブ２５４ｃによって更に確実に雌型のコネクタ２５３へと案内されることになる。
【０２０３】
尚、本実施形態の案内部材２５４の形状を適宜変更してもよい。例えば、本実施形態では、案内部材２５４はリブ２５４ｃを複数個備えるが、リブを１つとしてもよい。また、本実施形態のリブ２５４ｃのように本体筐体２１０の前面側から背面側に向かって板状にするのではなく、保持部２５４ｂから延在部２５４ａの延びる方向の先端までをその底辺とし本体筐体２１０の前面側から背面側に向かって広がる傾斜面を設けるようにしてもよい。
【０２０４】
ここで、本実施形態では、上記のように挿入されるＯＤＤ３００と本体筐体２１０との間にケーブル２５５が配線されている。そして、このケーブル２５５は、図３９に示されているように、延在部２５４ａと本体筐体２１０との隙間を通ることで、この延在部２５４ａによって次のような位置に保持されている。
【０２０５】
図４０は、案内部材の延在部によってケーブルが保持される様子を、本体筐体に挿入されてくるＯＤＤと共に示した模式図である。
【０２０６】
この図４０に示すように、ＯＤＤ３００は、上記のように開口２１２ａから挿入されると、本体筐体２１０内を、この本体筐体２１０との間にケーブル２５５を挟んだ挿入経路を進む。そして、このＯＤＤ３００の後端が、上記の延在部２５４ａに接触して更にその延在部２５４ａ上の複数のリブ２５４ｃで雌型のコネクタ２５３側に寄せられることで、この雌型のコネクタ２５３へと案内される。その結果、ＯＤＤ３００の後端に設けられた雄型のコネクタ３５０が、雌型のコネクタ２５３に確実に嵌合することとなる。
【０２０７】
このとき、ＯＤＤ３００と本体筐体２１０との間を通っているケーブル２５５が、そのＯＤＤ３００の挿入経路側に本体筐体２１０から浮き上がってしまうと、ＯＤＤ３００の移動にケーブル２５５が巻き込まれるという事態が生じる恐れがある。そこで、本実施形態では、このケーブル２５５が、延在部２５４ａと本体筐体２１０との間に通されることで、ＯＤＤ３００の挿入経路から避けた位置に保持されている。その結果、ケーブル２５５の上記のような浮き上がりが回避され、延いては、ＯＤＤ３００の挿入時のケーブル２５５の巻き込みが回避されることとなる。従って、本実施形態によれば、ケーブル２５５の巻込みを回避してＯＤＤ３００を本体装置２００に搭載することができる。
【０２０８】
尚、本実施形態では、上記のような装着ユニットが収納される電子機器の一例として、ＯＤＤ３００を備えたノートＰＣ１０の本体装置２００を例示したが、上記のような電子機器は、このようなノートＰＣ１０の本体装置２００に限るものではない。このような電子機器は、例えば光ディスク以外のディスク状可搬媒体のドライブ装置が収納されるノートＰＣやデスクトップ型のパーソナルコンピュータ等であっても良い。
【０２０９】
ディスク状可搬媒体の一例としては、例えば、ＣＤ−ＲＯＭ（Ｃｏｍｐａｃｔ  Ｄｉｓｋ  Ｒｅａｄ  Ｏｎｌｙ  Ｍｅｍｏｒｙ）やＤＶＤ（Ｄｉｇｉｔａｌ  Ｖｅｒｓａｔｉｌｅ  Ｄｉｓｃ）等が挙げられる。また、上記のような電子機器は、コンピュータに限るものでもなく、例えばＤＶＤプレイヤー等といった、上記のようなドライブ装置が収納される一般的な電子機器であっても良い。
【０２１０】
また、本実施形態では本体装置に装着され本体装置のコネクタと機械的且つ電気的に接続されるコネクタを有するユニットとしてＯＤＤを例示したが、上記のような電子機器は、ＯＤＤに限るものではない。このようなユニットは、例えば、光ディスク以外の可搬媒体のドライブユニット、バッテリユニット、テンキーユニット等といった他種別のユニットであっても良い。
【符号の説明】
【０２１１】
１０，５０，６０，７０    ノートＰＣ
１００，５００    表示装置
１０１    液晶パネル
１０１ａ    表示画面
１０２，１０２’，５０１    受光窓
１０３    窓部品
１０３ａ    フランジ
１０３ｂ    突出部
１０３ｃ    導光体
１０３ｄ    黒色スクリーン
１０４，１０４’，５０２    照度センサ
１０５，１０５’，１０５”    センサ基板
１１０，５１０    表示筐体
１１１    第１面部分
１１２    第２面部分
１１２’    底面部分
１１３    内壁面
２００，６００，７００    本体装置
２０１    キーボード
２０２    トラックパッド
２０３    クリックボタン
２０４    指紋センサ
２０５，６０２    サブ画面
２０６    操作ペン
２０７    収納部
２０８    スピーカ
２０９    操作ボタン
２１０，８１０    本体筐体
２１１，６０１    上面
２１１ａ    基本平面
２１１ｂ    傾斜面
２１１ｂ＿１    前方側の端部
２１１ｂ＿２    後方側の端部
２１２    前面
２１２ａ    開口
２１３    底面
２１３ａ    第１の底面部分
２１３ｂ    第２の底面部分
２１４    背面
２２１    カメラ
２２２    底面吸気口
２２３    背面吸気口
２２４，８０１    斜面排気口
２２４ａ，８０１ａ    第１リブ
２２５，８０２    背面排気口
２２５ａ，８０２ａ    第２リブ
２２５ｂ    第３リブ
２２６    傾斜側面吸気口
２２７    傾斜背面吸気口
２２８，７０１    発光窓
２２９，７０２    ＬＥＤ
２３１，７０３    ＬＥＤ基板
２４０，７１０    導光部材
２４１，７１１    導光体
２４２，７０４    遮光壁
２４２＿１    粗面
２４２’＿１    メッキ
２４２”＿１    塗料
２４３，７１２    接続部
２５１    ファン
２５２    ラジエータ
２５３    雌型のコネクタ
２５４    案内部材
２５４ａ    延在部
２５４ｂ    保持部
２５４ｃ    リブ
２５５    ケーブル
３００，９００    ＯＤＤ
３１０，９１０    ディスクトレイ
３１１，３１１’，９１１    カバー
３１１ａ，９１１ａ    第１側面
３１１ｂ，３１１ｂ’，９１１ｂ    第２側面
３１１ｂ’＿１    傾斜面
３１２    トレイ部
３２０    押し釦
３２１，９２１    押圧面
３２２    突起
３２３    接点部
３３０    光ディスク
３４０    電子回路
３５０    雄型のコネクタ
９２１ａ    第１押圧面
９２１ｂ    第２押圧面
【図１】
0005435038.tif 000002
【図２】
0005435038.tif 000003
【図３】
0005435038.tif 000004
【図４】
0005435038.tif 000005
【図５】
0005435038.tif 000006
【図６】
0005435038.tif 000007
【図７】
0005435038.tif 000008
【図８】
0005435038.tif 000009
【図９】
0005435038.tif 000010
【図１０】
0005435038.tif 000011
【図１１】
0005435038.tif 000012
【図１２】
0005435038.tif 000013
【図１３】
0005435038.tif 000014
【図１４】
0005435038.tif 000015
【図１５】
0005435038.tif 000016
【図１６】
0005435038.tif 000017
【図１７】
0005435038.tif 000018
【図１８】
0005435038.tif 000019
【図１９】
0005435038.tif 000020
【図２０】
0005435038.tif 000021
【図２１】
0005435038.tif 000022
【図２２】
0005435038.tif 000023
【図２３】
0005435038.tif 000024
【図２４】
0005435038.tif 000025
【図２５】
0005435038.tif 000026
【図２６】
0005435038.tif 000027
【図２７】
0005435038.tif 000028
【図２８】
0005435038.tif 000029
【図２９】
0005435038.tif 000030
【図３０】
0005435038.tif 000031
【図３１】
0005435038.tif 000032
【図３２】
0005435038.tif 000033
【図３３】
0005435038.tif 000034
【図３４】
0005435038.tif 000035
【図３５】
0005435038.tif 000036
【図３６】
0005435038.tif 000037
【図３７】
0005435038.tif 000038
【図３８】
0005435038.tif 000039
【図３９】
0005435038.tif 000040
【図４０】
0005435038.tif 000041